(57)【要約】【課題】部材数を最小限にし、作業を簡易に行える接地構造を提供するための接地用導電部材、及びそれを用いた太陽電池モジュールの接地構造を提供する。【解決手段】本発明は、隣り合う太陽電池モジュール３，３のそれぞれの端縁を支持する支持材２上に取り付けられる接地用導電部材１であって、配設状態において支持材２に設けた起立部２１１に係止可能な係止部１２と、支持材２の上面２１に沿うと共に上方への突起１１１を備える基板部１１と、を有することを特徴とする。【選択図】図１
2015052235.tif 000002
【特許請求の範囲】
【請求項１】
隣り合う太陽電池モジュールのそれぞれの端縁を支持する支持材上に取り付けられる接地用導電部材であって、
配設状態において支持材に設けた起立部に係止可能な係止部と、支持材の上面に沿うと共に上方への突起を備える基板部と、を有することを特徴とする接地用導電部材。
【請求項２】
係止部は、支持材に形成した起立部が挿通可能な溝状に形成されていることを特徴とする請求項１に記載の接地用導電部材。
【請求項３】
請求項１又は２に記載の接地用導電部材を用いて支持材上で対向する太陽電池モジュールの接地構造であって、
前記支持材は、配設状態において太陽電池モジュールの側面に当接する起立部を備え、
前記太陽電池モジュールの枠体裏面に前記接地用導電部材の突起が位置するように接地用導電部材を支持材に係止させたことを特徴とする太陽電池モジュールの接地構造。
【発明の詳細な説明】
【技術分野】
【０００１】
本発明は、部材数を最小限にし、作業を簡易に行える接地構造を提供するための接地用導電部材、及びそれを用いた太陽電池モジュールの接地構造接地用導電部材、及びそれを用いた太陽電池モジュールの接地構造に関する。
【背景技術】
【０００２】
隣り合う太陽電池モジュール間のアース処理に関し、特許文献１に記載の提案がなされている。
この特許文献１に記載の技術は、横桟部材（２０）の水上側、水下側に配置される太陽電池モジュールに対してそれぞれ、アース部材６１，６２をビス止めし、アース部材上に枠体を配置することでモジュール枠と桟部材を導電させているものである。
【先行技術文献】
【特許文献】
【０００３】
【特許文献１】特開２０１２−１４９４０２号公報
【発明の概要】
【発明が解決しようとする課題】
【０００４】
しかしながら、前記特許文献１の構成では、アース部材を２種類用意する必要があるため部品点数の増加になり、部材管理が面倒であった。また、ビス止めによって行われるため、作業者が工具を携帯しなければならず、作業者への負担にも繋がっていた。さらに、長尺材の桟部材に対して一定間隔でアース材を固定するため、取付箇所の位置決め（モジュール幅に応じた間隔：図７における横方向）を行わなければならず、作業に手間がかかるものであった。
【０００５】
そこで、本発明は、部材数を最小限にし、作業を簡易に行える接地構造を提供するための接地用導電部材、及びそれを用いた太陽電池モジュールの接地構造を提案することを目的とする。
【課題を解決するための手段】
【０００６】
本発明は、上記に鑑み提案されたものであって、隣り合う太陽電池モジュールのそれぞれの端縁を支持する支持材上に取り付けられる接地用導電部材であって、配設状態において支持材に設けた起立部に係止可能な係止部と、支持材の上面に沿うと共に上方への突起を備える基板部と、を有することを特徴とする接地用導電部材に関するものである。
【０００７】
また、本発明は、前記接地用導電部材において、係止部は、支持材に形成した起立部が挿通可能な溝状に形成されていることを特徴とする接地用導電部材をも提案する。
【０００８】
さらに、本発明は、前記接地用導電部材を用いて支持材上で対向する太陽電池モジュールの接地構造であって、前記支持材は、配設状態において太陽電池モジュールの側面に当接する起立部を備え、前記太陽電池モジュールの枠体裏面に前記接地用導電部材の突起が位置するように接地用導電部材を支持材に係止させたことを特徴とする太陽電池モジュールの接地構造をも提案するものである。
【発明の効果】
【０００９】
本発明の接地用導電部材は、端的には、以下の特徴を有する。
・隣接する太陽電池モジュールに対して１部材である。
・太陽電池モジュールを支持する支持材に設けられた起立部に接地用導電部材を係止させる。
・起立部に係止させるため、接地用導電部材のための工具は必要としない。
そのため、本発明では、部材数を最小限にし、作業を簡易に行える接地構造を提供することができる。
さらに、支持材の取付（位置決め）や固定具の締着と関係の無い構成（箇所：起立部）に接地用導電部材を取り付けるため、効率よく作業を行うことができる。即ち位置決め等と同時行う必要がないため、アース取付位置を後から決めることができ、作業を柔軟に実施できる。
それに反し、例えばアース設置箇所と非設置箇所を構成する部材が異なる場合には、予め設置箇所を特定する必要があり、全体の作業効率が低下する。また、すべての箇所にアースを設けることは部材の無駄につながる。
【００１０】
また、係止部を、支持材に形成した起立部が挿通可能な溝状に形成している場合には、起立部がこの接地用導電部材のズレ等を防止することができる。
【００１１】
さらに、前記接地用導電部材を用いた本発明の接地構造は、部材数を最小限にし、作業を簡易に行うことができる。
【図面の簡単な説明】
【００１２】
【図１】（ａ）本発明の第１実施例の接地用導電部材を用いた接地構造を示す正面図、（ｂ）その側面図、（ｃ）その平面図、（ｄ）接地用導電部材を拡大して示した正面図である。
【図２】（ａ）支持材に第１実施例の接地用導電部材を取り付けた状態を示す正面図、（ｂ）その側面図、（ｃ）その斜視図、（ｄ）支持材に第２実施例の接地用導電部材を取り付けた状態を示す正面図、（ｅ）その側面図、（ｆ）その斜視図、（ｇ）支持材に第３実施例の接地用導電部材を取り付けた状態を示す正面図、（ｈ）その側面図、（ｉ）その斜視図である。
【図３】（ａ）支持材に第４実施例の接地用導電部材を取り付けた状態を示す正面図、（ｂ）その側面図、（ｃ）その斜視図、（ｄ）支持材に第５実施例の接地用導電部材を取り付けた状態を示す正面図、（ｅ）その側面図、（ｆ）その斜視図である。
【図４】（ａ）〜（ｃ）アース突起のバリエーションを示す三面図である。
【発明を実施するための形態】
【００１３】
本発明の接地用導電部材は、隣り合う太陽電池モジュールのそれぞれの端縁を支持する支持材上に取り付けられる接地用導電部材であって、（Ａ）配設状態において支持材に設けた起立部に係止可能な係止部と、（Ｂ）支持材の上面に沿うと共に上方への突起を備える基板部と、を有することを特徴とする。
そして、太陽電池モジュールの枠体裏面に前記接地用導電部材の突起が位置するように接地用導電部材を支持材に係止させて接地構造とすることができる。
【００１４】
（Ａ）係止部
この係止部は、配設状態において支持材に設けた起立部に係止可能な部分であり、接地用導電部材の位置決めが行え、太陽電池モジュールの位置規制に干渉しなければ、嵌合、係止を特に問わない。後述する図示実施例においては、支持材の起立部が挿通可能な開口部を設けることで係止させている。また、起立部が嵌まる切り欠きであってもよい。
【００１５】
（Ｂ）基板部
また、この基板部は、支持材の上面に沿うと共に上方への突起、即ち接地（アース）を取るための突起を設ける部位である。
この突起は、太陽電池モジュールのフレーム（枠体）の塗膜（アルマイト処理）を傷付けることが可能であれば、その形状は限定するものではなく、主にバーリング加工やポンチ等によって上面側へ突き上げ形成されるものや、切り起こし（爪）等で形成するものが選ばれる。概略形状としては鋭凸状や小突起、鋭角状の爪部等が選定される。
【００１６】
（Ｃ）収納部
前記基板部より下方に位置して太陽電池モジュールの配線ケーブルを収納（保持）する部分として収納部を設けてもよい。この収納部内へ配線ケーブルを配置させる開口も、表面側でも側方側でも、或いは裏面側に形成してもよく、配線ケーブルが抜け落ちない形状であれば、特にその形状を限定するものではない。例えば開口からの太陽光の照射を防ぐため、開口（部分）を弾性変形可能な形状であっても、また配線ケーブルを配設後に開口（部分）を工具等で変形させるものであってもよい。特に開口を表面側に設ける場合にはこのような態様が望ましい。
【００１７】
（Ｄ）支持材
この支持材は、隣り合う太陽電池モジュールのそれぞれの端縁を支持する部材であり、太陽電池モジュールの端縁が当接する起立部を備える部材である。
この支持材は、定尺材（ピース材）であっても、縦方向（流れ方向）、横方向（桁行き方向）に連続するものであってもよい。
また、この支持材の起立部は、支持材に一体に設けられるものであっても、別部材を取り付けたものでもよく、太陽電池モジュールを配置するときにその間隔が一定に保たれる構成であればよい。図示実施例（第１実施例）は、上面部の一部を切り起こすことで起立部としたものである。さらに、この起立部は、鉛直状に形成するものでも、傾斜状に形成するものでもよい。
【００１８】
なお、この支持材を取り付ける対象については何等限定するものではなく、どのような下地又は既設屋根に対して取り付けるようにしてもよい。
後述する図示実施例では、支持材を凸状部を有する既設屋根（外装面）に取り付けた例を示しており、この凸状部は、外装面を構成する外装材にて形成されるものであって、山状部分と谷状部分とが連続する構成の外装面であれば、山状部分を指し、新築でも既設でもよい。また、後述する図示実施例に示すように山状部分である突状部の頂部に、外装材の側縁を略垂直状に立ち上げてカシメて凸部を形成したものでも、その外側にキャップ状のカバー材を配したものでも、一方の側縁に他方の側縁を重合させて形成したものでもよく、特にその構成を限定するものではない。
【実施例】
【００１９】
図１及び図２（ａ）〜（ｃ）に示す本発明の接地用導電部材（以下、アース金具という）１を用いた接地構造の第１実施例は、配設状態において支持材２に設けた起立部２１１に係止可能な係止部１２と、支持材２の上面２１に沿うと共に上方への突起１１１を備える基板部１１と、を有するアース金具１を用い、太陽電池モジュール３の枠体３１Ａ，３１Ｂ裏面に前記アース金具１の突起１１１が位置するようにアース金具１を支持材２に係止させたものである。
【００２０】
この第１実施例のアース金具１では、図１（ｄ）に拡大して示すように前記基板部１１は、配設状態において略水平状に配設される横片と該横片を傾斜状に折り下げた外下向き傾斜片とからなる。また、この基板部１１の折り目（横片と外向き傾斜片との境界）には、横スリット状の開口部が係止部１２として設けられ、横片には、前後に２箇所ずつの突起１１１が合計４箇所に形成されている。
このアース金具１は、略正方形状に形成された板状材から作成されたものである。
【００２１】
前記支持材２は、外装面５を構成する外装材５Ａにて形成される凸状部５１に固定する部材であって、凸状部５１の一方（＝右方）に配する第一支持材２Ａと、該第一支持材２Ａと回動自在に枢着されて凸状部５１の他方（＝左方）に配される第二支持材２Ｂと、凸状部５１の上方に起立状に配され、前記第一支持材２Ａを貫通して前記第二支持材２Ｂに端部が受支される取付ボルト２Ｃと、該取付ボルトに螺合される締着ナット２Ｄと、からなる。これらの第一支持材２Ａ及び第二支持材２Ｂは何れも定尺材（アルミ押出材）であって、組み合わせ状態が断面略筺状になるように形成され、内部に空間２０が形成される構成である。
また、前記第一支持材２Ａには、第二支持材２Ｂと回動自在に枢着するための軸部を形成する凹状の枢支受部２２が形成され、前記第二支持材２Ｂには、前記第一支持材２Ａと回動自在に枢着するための軸部を形成する凸状の枢支部２３が形成されている。さらに、前記取付ボルト１Ｃは六角ボルト、前記締着ナット１Ｃは、六角ナットである。
【００２２】
図示実施例の支持材２は、略筺状の頂部であって太陽電池モジュール３，３を支持する上面２１と、その一方（左方）の側縁を下方へ折り下げた傾斜支持面２４とを備え、該傾斜支持面２４には通孔２４１が設けられている。この傾斜支持面２４は、前記配線ケーブル支持材１の上面部１１と被覆部１２とを兼ねる外下向き傾斜片の裏面を支持する構成である。なお、前記起立部２１１は、前記上面２１に延設した外上向き傾斜片であり、前記傾斜支持面２４の略中央に下方から切り込みを入れて切り起こした片とも言えるものである。
そして、回動自在に枢着した第一支持材２Ａと第二支持材２Ｂで凸状部５１を左右から挟むように配設した状態で、取付ボルト２Ｃに締着ナット２Ｄを取り付けて締め付けることにより、支持材２を一体化することで、第一支持材２Ａ及び第二支持材２Ｂを凸状部５１に係止させ、取付ボルト２Ｃを凸状部５１の上方に起立させることができる。
【００２３】
また、前記支持材２が取り付けられる外装面５は、流れ方向に沿う山状部分と谷状部分とが連続する構成であって、山状部分の頂部に外装材（縦葺き外装材）５Ａにて形成される凸状部５１が、形成されたものであり、左右の外装材５Ａ，５Ａの側縁部５２，５２の端部を略垂直状に立ち上げて重合状に沿わせると共にカシメて形成したものである。
【００２４】
図１に示す配線構造に使用される太陽電池モジュール３は、流れ方向の端縁にフレーム３１ａ，３１ａが、左右方向の端縁にフレーム３１ｂ，３１ｂが取り付けられた構成であり、これらのフレーム３１ａ，３１ｂはアルミ成形材であって表面にアルマイト処理（絶縁処理）が施されている。
左右に隣接する太陽電池モジュール３，３間には、それぞれの太陽電池モジュール３の上端縁を押さえ保持する押さえ部材４が配設されている。この押さえ部材４は、左右に押さえ部４１，４１を有し、中央横片に形成した孔に前記取付ボルト１Ｃを挿通させ、その上端から取付ナット４ｂを締め付けることにより太陽電池モジュール３，３を上方から押さえ保持することができる。
【００２５】
図２（ａ）〜（ｃ）は、支持材２の起立部２１１に対して前記構成のアース金具１の係止部（開口部）１２を挿着させて取り付けた状態を示し、支持材２の配設以前にこのアース金具１を取り付けるようにしてもよいし、支持材２を外装面５に配設した後に取り付けるようにしてもよい。
何れにしても、アース金具１の突起１１１，１１１上に流れ方向に隣接する太陽電池モジュール３，３を載置するため、この突起１１１が太陽電池モジュール３の下面に圧接され、表面のアルマイト処理層を傷付けてアース処理を容易に行うことができる。
【００２６】
このように、本発明のアース金具１は、支持材２に設けられた起立部２１１に係止させるため、隣接する太陽電池モジュール３，３に対して１部材で取り付けることができ、取付用の工具を必要とせず、部材数を最小限にし、作業を簡易に行える接地構造を提供することができる。
【００２７】
また、この第１実施例では、支持材２の起立部２１１に係止部１２である横スリット状の開口部を挿着して取り付けるので、太陽電池モジュール３の配設に際してズレ動くことがなく取付状態を維持することができる。
なお、太陽電池モジュール３，３を配設した後のアース金具１は、太陽電池モジュール３，３が載置しているので、基板部１１を構成する横片又は外下向き傾斜片にビス等を打ち込んで裏面側の支持材２に固定するようにしてもよいし、特に固定方法を限定するものではない。
【００２８】
図２（ｄ）〜（ｆ）に示す本発明の第２実施例のアース金具１IIは、基板部１１iiを構成する外下向き傾斜片に、起立部２１１と略同一幅の切り込みを形成し、即ち下方から切り欠いた形状の係止部１２iiを設けた構成であり、この係止部１２iiを支持材２に設けた起立部２１１に対して上方から嵌合状に係止させて取り付けている。
図２（ｇ）〜（ｉ）に示す本発明の第３実施例のアース金具１IIIは、基板部１１iiiを構成する外下向き傾斜片に、起立部２１１と略同一幅の切り込みを形成し、即ち下方から切り起こし、起立させた片を１１２とし、切り欠き部分を係止部１２iiiとした構成であり、この係止部１２iiiを支持材２に設けた起立部２１１に対して上方から嵌合状に係止させて取り付けている。アース金具１IIIに設けた起立させた片１１２は、支持材２の起立片２１１と同様に太陽電池モジュール３，３の位置規制に貢献する。
【００２９】
図３（ａ）〜（ｃ）に示す本発明の第４実施例のアース金具１IVは、係止部１２ivが前記第１実施例と同様に横スリット状の開口部であって、支持材２に設けた起立部２１１を挿通させて係止可能であり、配設状態において基板部１１より下方に位置して図示しない太陽電池モジュール３の配線ケーブルを収納する収納部１３と、その収納部１３を覆うと共に対向する太陽電池モジュール３，３の間隔より広幅の被覆部１４と、を有する。前記被覆部１４は、基板部１１を構成する前記外下向き傾斜片と該外下向き傾斜片を内側へ折り下げた内向き傾斜片とからなる略く字状部分であり、前記収納部１３は、前記略く字状部分である被覆部１４の裏面側の空間を指し、前記収納部１３は、前述のように被覆部１２が形成され、略袋状に形成される。また、前記内向き傾斜片の下端には、更に内側上方へ折り曲げた内上向き傾斜片１５が延設されている。
【００３０】
この第４実施例のアース金具１IVは、配線ケーブルを被覆すると共に収納部１３へ収納することができるため、配線ケーブルの垂れ下がりを抑制でき、太陽光（紫外線）から保護して劣化を防止することができる。そのため、今まで配線ケーブルの保護として使われてきたＰＦ管、配線ケーブルの固定に使われてきた結束バンドや支持具、さらに固定用のビス等の役割を一つの部材に集結した部材ということができる。
また、このアース金具１IVは、太陽電池モジュール３を大きく傾けるなど大きな労力を必要とする配線ケーブルの結線作業とは別工程で行うことができ、作業自体も特別な技術や工具を必要とせずに支持材２に対して容易に取り付けられるため、施工者への負担の軽減、作業のし忘れなどの作業ミスの軽減、作業者の技量による施工品質のばらつきの軽減といった効果を発揮する。さらに、この第４実施例には、下方から配線ケーブルにて内上向き傾斜片１５を持ち上げるだけで収納部１３へ容易に収納可能な機構（起立部２１１に係止部１２ivを挿通させた状態で開口を広げることが可能）が採用されているので、実質的に面倒な操作を全く行うことなく、極めて容易に配線ケーブルを適正位置に保護することができる。
【００３１】
図３（ｄ）〜（ｆ）に示す本発明の第５実施例のアース金具１Vは、係止部１２vが支持材２に設けた起立部２１１を上方から覆う、即ち上方から嵌合状に係止させる構成である。
【００３２】
図４は、アース突起のバリエーションを示し、図４（ａ）に示す突起１１２は、前記第１実施例の態様であるが、上面部１１に裏面側から孔を開設する操作にて形成される形態であり、図４（ｂ）に示す突起１１２'は、上面部１１'の端縁を折曲加工する操作にて形成される形態であり、図４（ｃ）に示す突起１１２"は、上面部１１"を裏面側から打ち抜き加工（プレス加工）することで起立状（傾斜状）の爪片を形成した態様である。
【符号の説明】
【００３３】
１  接地用導電部材（アース金具）
１１  基板部
１１１  突起
１２  係止部（開口部）
１３  収納部
２  支持材
２Ａ  第一支持材
２Ｂ  第二支持材
２１  上面
２１１  起立部
２２  枢支受部
２３  枢支部
３  太陽電池モジュール
３１ａ，３１ｂ  フレーム
４  押さえ部材
４１  押さえ部
５  外装面
５Ａ  外装材
５１  凸状部
５２  側縁部
【図１】
2015052235.tif 000003
【図２】
2015052235.tif 000004
【図３】
2015052235.tif 000005
【図４】
2015052235.tif 000006